(57)【特許請求の範囲】
【請求項１】
背中を覆うための背側部分と、尻尾より下側における肛門及びその下側近傍を覆うための臀部被覆部分と、この臀部被覆部分より前側の腹部を覆うための腹側部分と、腹側部分の両側部に設けられた、背側部分に対する係止部とを備え、
腹側部分に吸収体を備え、
腹側部分の両側部の係止部を、背側部分の外面に係止することで装着を行うように構成した、ペット用止着式使い捨ておむつにおいて、
腹側部分に取外し又は取り付け可能な形状補正部材を備えた、
ことを特徴とするペット用止着式使い捨ておむつ。
【請求項２】
前記形状補正部材は、前後方向において前記係止部と重なる位置から腹側部分の後端部まで延在している、請求項１記載のペット用止着式使い捨ておむつ。
【請求項３】
前記形状補正部材は、前記吸収体より外側であって、かつ前記吸収体と重なる範囲内にのみ設けられている、請求項１又は２記載のペット用止着式使い捨ておむつ。
【請求項４】
前記形状補正部材を有する形状補正部分は、股間側の幅がその前側の幅よりも狭い形状とされている、請求項記１〜３のいずれか１項に記載のペット用止着式使い捨ておむつ。
【請求項５】
前記形状補正部材が板体である、請求項１〜４のいずれか１項に記載のペット用止着式使い捨ておむつ。
【請求項６】
前記形状補正部材は、腹側部分の前後方向中間の所定部分を取り囲むように延在する棒体である、請求項１〜４のいずれか１項に記載のペット用止着式使い捨ておむつ。
【請求項７】
前記形状補正部材として、前後方向に延在する棒体を幅方向に複数本並設してなる、請求項１〜４のいずれか１項に記載のペット用止着式使い捨ておむつ。
【請求項８】
前記腹側部分に前記形状補正部材を内蔵するための袋状部分を設け、この袋状部分に前記形状保持部材を出し入れするための開口部をおむつ外面に形成し、この開口部を閉じるための閉鎖手段を設けた、請求項１〜７のいずれか１項に記載のペット用止着式使い捨ておむつ。
【請求項９】
前記袋状部分は前記開口部から深さ方向に沿って延在するミシン目を有するとともに、前記深さ方向に並設された複数の閉鎖手段を有するものである、請求項８記載のペット用止着式使い捨ておむつ。
【請求項１０】
前記吸収体は、おむつの前後方向に延在するフィラメントの束からなるフィラメント集合体と、このフィラメント集合体内に保持された高吸収性ポリマーとからなる、請求項１〜９のいずれか１項に記載のペット用止着式使い捨ておむつ。
【請求項１１】
前記腹側部分は、前記吸収体の表側を覆う透液性表面シートを有しており、この透液性表面シートに縦方向に沿う溝が幅方向に複数並設されている、請求項１〜１０のいずれか１項に記載のペット用止着式使い捨ておむつ。
【発明の詳細な説明】
【技術分野】
【０００１】
本発明は、ペット用止着式使い捨ておむつに関するものである。
【背景技術】
【０００２】
最近では、犬や猫等における使用を前提としたペット用止着式使い捨ておむつが提案されている。例えば特許文献１に記載のものは、背中を覆うための背側部分と、腹部から股間をとおり尻尾近傍までを覆うための本体部分とを備えており、本体部分の両側部から突出するファスニングテープを、背側部分の外面に設けられたターゲットテープに着脱可能に係止することで装着を行うものである。本体部分は、機能的に見て、尻尾より下側における肛門及びその下側近傍を覆うための臀部被覆部分と、この臀部被覆部分より前側の腹部を覆うための腹側部分とに分けることができる。
また、特許文献２にも特許文献１とほぼ同様のペット用止着式使い捨ておむつが提案されている。
【先行技術文献】
【特許文献】
【０００３】
【特許文献１】特開２００４−１５９５９１号公報
【特許文献２】特開２００７−１５９４２０号公報
【特許文献３】特開２００９−０９５３３４号公報
【特許文献４】特開２００９−０５５８８８号公報
【特許文献５】特開２００７−０２０５３３号公報
【特許文献６】特許４５２１７８６号公報
【特許文献７】実登３１４３７５４号公報
【特許文献８】実登３１２３０４３号公報
【特許文献９】実登３１２０３７８号公報
【特許文献１０】実登３０６５７９４号公報
【特許文献１１】実登３０９７６８８号公報
【発明の概要】
【発明が解決しようとする課題】
【０００４】
しかしながら、従来のペット用止着式使い捨ておむつは、腹側部分の前後方向中間部分が主たる吸収部分となるにもかかわらず、その前後両側しか支えが無いため、尿等の吸収により重くなった腹側部分の前後方向中間部分が垂れ下り、引きずることでおむつが破けて中の吸収材料が漏れ出てしまうという問題点があった。おむつが垂れ下がる等の型崩れを起こすと、装着感が悪化したり、排泄物が漏出したりすることがあるため好ましくない。
そこで、本発明の主たる課題は、ペット用止着式使い捨ておむつにおける腹側部分の型崩れを防止することにある。
【課題を解決するための手段】
【０００５】
上記課題を解決した本発明は次記のとおりである。
＜請求項１記載の発明＞
背中を覆うための背側部分と、尻尾より下側における肛門及びその下側近傍を覆うための臀部被覆部分と、この臀部被覆部分より前側の腹部を覆うための腹側部分と、腹側部分の両側部に設けられた、背側部分に対する係止部とを備え、
腹側部分に吸収体を備え、
腹側部分の両側部の係止部を、背側部分の外面に係止することで装着を行うように構成した、ペット用止着式使い捨ておむつにおいて、
腹側部分に取外し又は取り付け可能な形状補正部材を備えた、
ことを特徴とするペット用止着式使い捨ておむつ。
【０００６】
（作用効果）
本発明では、腹側部分に形状補正部材が設けられているため、腹側部分の前後方向中間部分が尿等の吸収により重くなって垂れ下る等の、腹側部分の型崩れが発生し難くなる。よって、腹側部分を引きずることでおむつが破けて中の吸収材料が漏れ出てしまうといった事態や、装着感が悪化したり、排泄物が漏出したりするといった事態を防止できるようになる。
【０００７】
＜請求項２記載の発明＞
前記形状補正部材は、前後方向において前記係止部と重なる位置から腹側部分の後端部まで延在している、請求項１記載のペット用止着式使い捨ておむつ。
【０００８】
（作用効果）
これにより、尿の吸収により重くなる部分を形状補正部材で押さえ、その形状補正部材の前後両側を係止部及び臀部被覆部分を介して背側部分により吊り支持することができるため、腹側部分の垂れ下りをより効果的に防止することができる。
【０００９】
＜請求項３記載の発明＞
前記形状補正部材は、前記吸収体より外側であって、かつ前記吸収体と重なる範囲内にのみ設けられている、請求項１又は２記載のペット用止着式使い捨ておむつ。
【００１０】
（作用効果）
吸収体はその厚みによりある程度の緩衝作用を有するものであるため、形状補正部材を吸収体の外側であって、かつ吸収体と重なる範囲にのみ設けることによって、形状補正部材の端部がペットの皮膚に強く当たり、皮膚を傷つけたり、ペットに異物感を与えたりするといった事態を抑制することができる。
【００１１】
＜請求項４記載の発明＞
前記形状補正部材を有する形状補正部分は、股間側の幅がその前側の幅よりも狭い形状とされている、請求項記１〜３のいずれか１項に記載のペット用止着式使い捨ておむつ。
【００１２】
（作用効果）
これにより、形状補正部材がペットの脚の付根に当たり難くなり、歩行時や座位時に形状補正部材の後端部がペットの脚内側の皮膚に強く当たり、皮膚を傷つけたり、ペットに異物感を与えたりするといった事態を抑制することができる。
【００１３】
＜請求項５記載の発明＞
前記形状補正部材が板体である、請求項１〜４のいずれか１項に記載のペット用止着式使い捨ておむつ。
【００１４】
（作用効果）
このように形状補正部材を板体とすることにより、面的に形状補正作用が働くため、形状補正効果に優れたものとなる。
【００１５】
＜請求項６記載の発明＞
前記形状補正部材は、腹側部分の前後方向中間の所定部分を取り囲むように延在する棒体である、請求項１〜４のいずれか１項に記載のペット用止着式使い捨ておむつ。
【００１６】
（作用効果）
この場合、面的な形状補正作用に近い補正作用が得られるものでありながら、板体を用いる場合よりも軽量で表裏方向の通気性に優れたものとすることができる。
【００１７】
＜請求項７記載の発明＞
前記形状補正部材として、前後方向に延在する棒体を幅方向に複数本並設してなる、請求項１〜４のいずれか１項に記載のペット用止着式使い捨ておむつ。
【００１８】
（作用効果）
前述のとおり、形状補正部材を板体とするのも好ましいが、その形状補正作用が面的に作用するために個々のペットの体型、胴回り寸法の相違に適合させるのが困難である、つまり汎用性に乏しくなり易いといった問題点がある。これに対して、上述のように形状補正部材として前後方向に延在する棒体を幅方向に並設すると、胴回り方向の柔軟性が低下することなく、広範囲にわたり形状補正作用が発揮され、また軽量で表裏方向の通気性に優れたものとなるため好ましい。
【００１９】
＜請求項８記載の発明＞
前記腹側部分に前記形状補正部材を内蔵するための袋状部分を設け、この袋状部分に前記形状保持部材を出し入れするための開口部をおむつ外面に形成し、この開口部を閉じるための閉鎖手段を設けた、請求項１〜７のいずれか１項に記載のペット用止着式使い捨ておむつ。
【００２０】
（作用効果）
このように形状補正部材を出し入れ可能とすることにより、使用者が必要に応じて形状補正の有無を選択できるため好ましい。
【００２１】
＜請求項９記載の発明＞
前記袋状部分は前記開口部から深さ方向に沿って延在するミシン目を有するとともに、前記深さ方向に並設された複数の閉鎖手段を有するものである、請求項８記載のペット用止着式使い捨ておむつ。
【００２２】
（作用効果）
この場合、袋状部分のミシン目を開口部側から所望の深さ位置まで切り離すとともに、複数の閉鎖手段の中からミシン目の切り離し深さに応じた位置の閉鎖手段を選択使用することにより、形状補正部分となる袋状部分の深さ寸法を変更することができ、使用者が個々のペットの寸法に合わせて形状補正部分の寸法を調節することができる。
【００２３】
＜請求項１０記載の発明＞
前記吸収体は、おむつの前後方向に延在するフィラメントの束からなるフィラメント集合体と、このフィラメント集合体内に保持された高吸収性ポリマーとからなる、請求項１〜９のいずれか１項に記載のペット用止着式使い捨ておむつ。
【００２４】
（作用効果）
このようなフィラメント集合体により吸収体を形成すると、尿はフィラメントの延在方向つまり前後方向に拡散し易くなる。よって、尿吸収による重量増が腹側部分の局所に集中し難くなり、垂れ下り防止効果に優れるようになる。
【００２５】
＜請求項１１記載の発明＞
前記腹側部分は、前記吸収体の表側を覆う透液性表面シートを有しており、この透液性表面シートに縦方向に沿う溝が幅方向に複数並設されている、請求項１〜１０のいずれか１項に記載のペット用止着式使い捨ておむつ。
【００２６】
（作用効果）
このような表面シートを有することにより、尿は前後方向に拡散し易くなる。よって、尿吸収による重量増が腹側部分の局所に集中し難くなり、垂れ下り防止効果に優れるようになる。
【発明の効果】
【００２７】
以上のとおり、本発明によれば、装着の際及び装着後においておむつの位置がズレ難く、交換作業が容易となる、等の利点がもたらされる。
【図面の簡単な説明】
【００２８】
【図１】ペット用止着式使い捨ておむつの内面を示す、おむつを展開した状態における平面図である。
【図２】ペット用止着式使い捨ておむつの外面を示す、おむつを展開した状態における平面図である。
【図３】図１の６−６線断面図である。
【図４】図１の７−７線断面図である。
【図５】図１の８−８線断面図である。
【図６】形状補正部材の平面図である。
【図７】ペットへの装着状態を示す概略図である。
【図８】他のペット用止着式使い捨ておむつの外面を示す、おむつを展開した状態における平面図である。
【図９】他のペット用止着式使い捨ておむつの外面を示す、おむつを展開した状態における平面図である。
【図１０】他のペット用止着式使い捨ておむつの外面を示す、おむつを展開した状態における平面図である。
【図１１】他のペット用止着式使い捨ておむつの外面を示す、おむつを展開した状態における平面図である。
【図１２】袋状部分の要部拡大斜視図である。
【図１３】ペット用止着式使い捨ておむつの外面を示す、おむつを展開した状態における平面図である。
【図１４】図１３の９−９線断面図である。
【図１５】他のペット用止着式使い捨ておむつの外面を示す、おむつを展開した状態における平面図である。
【発明を実施するための形態】
【００２９】
以下、本発明の実施形態について添付図面を参照しつつ説明する。なお、「縦方向（前後方向）」とは展開状態において腹側（前側）と背側（後側）を結ぶ方向を意味し、「幅方向」とは縦方向（前後方向）と直交する方向（左右方向）を意味する。また、用語「伸長率」は自然長を１００％としたときの値を意味する。
【００３０】
図１〜図６はペット用止着式使い捨ておむつの一例を示している。図３及び図４は、図１における６−６線断面及び７−７線断面をそれぞれ示した図であり、図５は、図１における８−８線断面を示した図である。このペット用止着式使い捨ておむつは、背中を覆うための背側部分Ｂと、腹部から股間をとおり尻尾近傍までを覆うための本体部分１０と、本体部分１０の両側部に設けられた、背側部分Ｂに対する係止部としてのファスニングテープ１３とを備えている。本体部分１０は、尻尾より下側における肛門及びその下側近傍を覆うための臀部被覆部分Ｍと、この臀部被覆部分Ｍより前側の腹部を覆うための腹側部分Ｆとに分けることができる。符号１００は、尻尾を内側から外側に通す貫通孔を形成するための切り込みを示している。
【００３１】
また、この使い捨ておむつは、身体側表面を形成する透液性表面シート３０と、外面側に位置する液不透過性シート１１との間に吸収要素５０が介在する吸収保持部分と、その前後両側及び左右両側にそれぞれ延出する部分であって、且つ吸収要素５０を有しない部分であるエンドフラップ部ＥＦ及びサイドフラップ部ＳＦとを有しており、本例では、本体部分１０内に吸収保持部分が設けられ、背側部分Ｂには設けられていない。
【００３２】
構造としては、使い捨ておむつの外面全体が外装シート１２により形成されており、吸収要素５０を有する吸収保持部分においては、外装シート１２の内面側に液不透過性シート１１がホットメルト接着剤等の接着剤により固定され、さらにこの液不透過性シート１１の内面側に吸収要素５０、中間シート４０、および表面シート３０がこの順に積層されている。表面シート３０および液不透過性シート１１は図示例では長方形であり、吸収要素５０よりも前後方向および幅方向において若干大きい寸法を有しており、表面シート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、表面シート３０よりも若干幅広に形成されている。
【００３３】
さらに、この吸収性本体部１０の両側には、ペットの肌側に突出（起立）する側部立体ギャザー６０，６０が設けられており、この側部立体ギャザー６０，６０を形成するギャザーシート６２，６２が、表面シート３０の両側部上からサイドフラップ部ＳＦの内面全体にわたり延在されている。
【００３４】
以下、各部の素材および特徴部分について順に説明する。
（外装シート）
外装シート１２は吸収要素５０を支持し、ペットに装着するための部分である。外装シート１２は、両側部の前後方向中間部が括れた砂時計形状とされており、ここがペットの脚周りに沿う部位となる。
【００３５】
外装シート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布１２相互をホットメルト接着剤等により接着するのが好ましい。不織布を用いる場合、その繊維目付けは１０〜５０ｇ／ｍ2、特に１５〜３０ｇ／ｍ2のものが望ましい。
【００３６】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００３７】
（表面シート）
表面シート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３８】
また、表面シート３０は、１枚のシートからなるものであっても、２枚以上のシートを貼り合せて得た積層シートからなるものであってもよい。同様に、表面シート３０は、平面方向に関して、１枚のシートからなるものであっても、２枚以上のシートからなるものであってもよい。
【００３９】
（中間シート）
表面シート３０を透過した排泄物を吸収体へ移動させ、逆戻りを防ぐために、表面シート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、表面シート３０表面を肌触りを良くするものである。中間シート４０は省略することもできる。
【００４０】
中間シート４０としては、表面シート３０と同様の素材を用いることができる。中間シート４０は表面シート３０に接合するのが好ましく、その接合にヒートエンボスや超音波溶着を用いる場合は、中間シート４０の素材は表面シート３０と同程度の融点をもつものが好ましい。また、表面シート３０に有孔シートを用いる場合において、便中の固形分を透過させることを考慮するならば中間シート４０に用いる繊維の繊度は５．０〜７．０ｄｔｅｘであるのが好ましいが、表面シート３０における液残りが多くなる。これに対して、中間シート４０に用いる繊維の繊度が１．０〜２．０ｄｔｅｘであると、表面シート３０の液残りは発生し難いが、便の固形分が透過し難くなる。よって、中間シート４０に用いる不織布の繊維は繊度が２．０〜５．０ｄｔｅｘ程度とするのが好ましい。
【００４１】
図示の形態の中間シート４０は、吸収要素５０の幅より短く中央に配置されているが、全幅にわたって設けてもよい。中間シート４０の長手方向長さは、おむつの全長と同一でもよいし、吸収要素５０の長さと同一でもよいし、液を受け入れる領域を中心にした短い長さ範囲内であってもよい。
【００４２】
（側部立体ギャザー）
表面シート３０上を伝わって横方向に移動する尿や軟便を阻止し、横漏れを防止するために、製品の両側に、使用面側に突出（起立）する側部立体ギャザー６０、６０を設けるのは好ましい。
【００４３】
この側部立体ギャザー６０は、実質的に幅方向に連続するギャザーシート６２と、このギャザーシート６２に前後方向に沿って伸張状態で固定された細長状弾性伸縮部材６３とにより構成されている。このギャザーシート６２としては撥水性不織布を用いることができ、また弾性伸縮部材６３としては糸ゴム等を用いることができる。弾性伸縮部材は、図１及び図２に示すように各複数本設ける他、各１本設けることができる。
【００４４】
ギャザーシート６２の内面は、表面シート３０の側部上に幅方向の固着始端を有し、この固着始端から幅方向外側の部分は、液不透過性シート１１の側部およびその幅方向外側に位置する外装シート１２の側部にホットメルト接着剤などにより固着されている。
【００４５】
脚周りにおいては、側部立体ギャザー６０の固着始端より幅方向内側は、製品前後方向両端部では表面シート３０上に固定されているものの、その間の部分は非固定の自由部分であり、この自由部分が糸ゴム６３の収縮力により起立するようになる。おむつの、装着時には、おむつが舟形に体に装着されるので、そして糸ゴム６３の収縮力が作用するので、糸ゴム６３の収縮力により側部立体ギャザー６０が起立して脚周りに密着する。その結果、脚周りからのいわゆる横漏れが防止される。
【００４６】
図示形態と異なり、ギャザーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００４７】
（側縁部弾性伸縮部材）
各サイドフラップ部ＳＦに側縁部弾性伸縮部材６４が縦方向に沿って伸長された状態で固定されている。より詳細には、ギャザーシート６２の固着部分のうち固着始端近傍の幅方向外側において、ギャザーシート６２と外装シート１２とが対向する部分のシート間に、側縁部弾性伸縮部材６４としての細長状弾性伸縮部材が縦方向に沿って、かつ幅方向に間隔を空けて複数本挟持されている。
【００４８】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００４９】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。なお、図中の符号５６Ｗ及び５６Ｌは、吸収体の縦方向長さ及び幅をそれぞれ示している。
【００５０】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００５１】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
【００５２】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５３】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００５４】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００５５】
（包装シート）
包装シート５８を用いる場合、その素材としては、ティッシュペーパー、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００５６】
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００５７】
（ファスニングテープ）
図１及び図２に示されるように、ファスニングテープ１３は、不織布、プラスチックフィルム、ポリラミ不織布、紙やこれらの複合素材からなるシート基材１３Ｃの基部がおむつに取り付けられており、おむつから突出する先端側部分に腹側に対する係止部として、メカニカルファスナーのフック材１３Ａが設けられている。フック材１３Ａはシート基材１３Ｃに接着剤により剥離不能に接合されている。
【００５８】
通常の場合、ファスニングテープ１３の取り付け部分の寸法のうち、おむつの幅方向の長さは１０〜５０ｍｍ、特に２０〜４０ｍｍであるのが好ましく、前後方向長さは、２０〜１００ｍｍ、特に４０〜８０ｍｍであるのが好ましい。また、ファスニングテープ１３の先端側部分の寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３の一部または全部が例えば略テーパ形状をなし、前後方向長さや幅方向長さが一定でない場合は、上記数値範囲は平均値にて定める。ファスニングテープ１３の形状は、矩形形状などの左右対称形状でもよいが、幅広の取り付け部分と細長状の先端側部分からなる凸型形状であると、先端側部分の摘み部が摘みやすく、かつ左右の基部間の張力が広範囲に作用するため、好ましい。フック材１３Ａは、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。フック材１３Ａに代えて、ファスニングテープ１３の係止部として粘着材層を設けることもできる。
【００５９】
おむつの装着に際しては、図７に示すように腹側部分Ｆのサイドフラップ部ＳＦを背側部分Ｂのサイドフラップ部ＳＦの外側に重ねた状態で、ファスニングテープ１３を背側部分Ｂ外面の適所に係止する。ファスニングテープ１３の係止箇所の位置及び寸法は任意に定めることができる。通常の場合、係止箇所は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
【００６０】
ファスニングテープ１３は、その取付部分が吸収要素５０の前端縁と前後方向において重なるように取り付けられていると、おむつ装着時に左右のファスニングテープ１３の取り付け部分間に働く張力により、吸収要素５０の腹側端部がしっかりと体に押し当てられるため、好ましい。また、ファスニングテープ１３の取り付け部分が、おむつの腹側端部（後端部）と離れすぎていると、おむつ装着時に左右のファスニングテープ１３の取り付け部分間に働く張力がおむつの腹側端部にまで及ばないため、おむつの腹側端部と身体表面との間に隙間が生じやすい。従って、腹側部分ＦにおけるエンドフラップＥＦの前後方向長さは、ファスニングテープ１３の基部の前後方向長さと同じか又は短いことが好ましい。この観点から、腹側部分ＦにおけるエンドフラップＥＦの前後方向長さは、おむつ全体の前後方向長さＬの５〜２０％程度とするのが好ましく、特に１０〜６０ｍｍ、特に２０〜５０ｍｍとするのが適当である。
【００６１】
（ターゲットシート）
背側部分Ｂにおけるファスニングテープ１３の係止箇所には、係止を容易にするためのターゲット有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。
【００６２】
また、背側部分Ｂにおけるファスニングテープ１３の係止箇所が不織布からなる場合、例えば図示形態の外装シート１２が不織布からなる場合であって、ファスニングテープ１３の係止部がフック材１３Ａの場合には、ターゲットシート１２Ｔを省略し、フック材１３Ａを外装シート１２の不織布に絡ませて係止することもできる。この場合、ターゲットシート１２Ｔを外装シート１２と液不透過性シート１１との間に設けてもよい。
【００６３】
（形状補正部材）
特徴的には、腹側部分Ｆに形状補正部材７０が内蔵されており、腹側部分Ｆの前後方向中間部分が尿等の吸収により重くなって垂れ下る等の、腹側部分Ｆの型崩れが発生し難くなっている。よって、腹側部分Ｆを引きずることでおむつが破けて中の吸収材料が漏れ出てしまうといった事態や、装着感が悪化したり、排泄物が漏出したりするといった事態を防止できるようになる。
【００６４】
形状補正部材７０の寸法及び配置は適宜定めることができるが、前後方向においては係止部１３Ａと重なる位置から後方に延在しているのが好ましく、特に腹側部分Ｆの後端部又はその近傍まで延在しているのが好ましいが、臀部被覆部分Ｍ又は背側部分Ｂまで延在させても良い。これにより、尿の吸収により重くなる部分を形状補正部材７０で押さえ、その形状補正部材７０の前側を係止部により、また後側を臀部被覆部分Ｍによりそれぞれ背側部分Ｂに対して吊り支持できるため、腹側部分Ｆの垂れ下りをより効果的に防止することができる。
【００６５】
形状補正部材７０の素材は適宜選択することができ、ポリカーボネートや、ポリエチレン、ポリプロピレン等のポリオレフィン系樹脂の他、金属、ボール紙、段ボール等を好適に用いることができる。また、形状補正部材７０の形状も図２、３、６、８〜１１、に示すような棒体（中空の場合、つまり筒状の場合を含む）、あるいは図１３、１４に示すような板体等、適宜定めることができ、その端部は面取りして、角を丸めておくのが好ましい。
【００６６】
板体からなる形状補正部材７０を用いると、面的に形状補正作用が働くため、形状補正効果に優れたものとなるため、個々のペットの体型、胴回り寸法の相違に適合させるのが困難となるおそれがあり、またそれ自体の重さや通気性についても改善が望まれる。よって、形状補正部材７０としては単数又は複数の棒体を面的に配置して用いるのが好ましい。具体的には図２、３、９〜１１に示すように前後方向に延在する棒体からなる形状補正部材７０を幅方向に複数並設すると、胴回り方向の柔軟性が低下することなく、広範囲にわたり形状補正作用が発揮され、また軽量で通気性に優れたものとなるため好ましい。また、図８に示すように、腹側部分Ｆの前後方向中間の所定部分を取り囲むように延在する形状（図示例ではＵ字状であるが、Ｖ字状や、Ｗ字状、Ｈ字状、Ｏ字状、Ｘ字状、Ｍ字状、Ａ字状等で編も良い）棒体からなる形状補正部材７０を用いても良い。この場合、面的な形状補正作用に近い補正作用が得られるものでありながら、板体からなる形状補正部材７０を用いる場合よりも軽量で通気性に優れたものとすることができる。
【００６７】
棒体からなる形状補正部材７０を用いる場合、図６（ａ）に示すように、棒体の一部、例えば長手方向中間部をスプリング等のバネ体７１で構成し、長手方向の伸縮や屈曲が可能なように構成したり、図６（ｂ）に示すように、同心状に重なり合う筒体７２，７３が伸縮するテレスコピック構造のものとしたりすることにより、歩行時や座位時に形状補正部材７０の端部がペットの皮膚に強く当たり、皮膚を傷つけたり、ペットに異物感を与えたりするといった事態を抑制することができる。
【００６８】
形状補正部材７０に柔軟な素材を用いるとしても、その端部が体に当たることは避け得ない。この形状補正部材７０の異物感を可能な限り回避するために別途緩衝部材を設けても良いが、高コストになるだけでなく、嵩張るようになる。よって、形状補正部材７０は図示例のように外装シート１２と液不透過性シート１１との間（あるいは図示例とは異なり、吸収体５６と包装シート５８との間、包装シート５８と液不透過性シート１１との間、外装シート１２を複数枚の不織布を積層して構成したときの不織布間）等、吸収体５６より裏側に設けるのが好ましく、さらに吸収体５６と重なる範囲（前後方向及び幅方向のいずれにおいても）内に収まるように設けるのが好ましい。吸収体５６はその厚みによりある程度の緩衝作用を有するため、形状補正部材７０の端部がペットの皮膚に強く当たり、皮膚を傷つけたり、ペットに異物感を与えたりするといった事態を抑制することができる。
【００６９】
形状補正部材７０の形状は適宜定めることができるが、歩行時や座位時に形状補正部材７０の後端部がペットの脚内側の皮膚に強く当たるおそれがあるため、これを抑制するために、形状補正部材７０を有する形状補正部分は、股間側の幅がその前側の幅よりも狭い（前側から後側に向かうにつれて段階的又は連続的に幅が狭くなる）形状とされているのが好ましい。具体的には、図１３に示すように後端部が弧状に形成された板体からなる形状補正部材７０を用いたり、図８に示すようにＵ字状に延在する棒体からなる形状補正部材７０を用いたりすることができる。また、図９に示すように、前後方向に延在する棒体からなる形状補正部材７０を幅方向に複数並設し、両側部の棒体からなる形状補正部材７０を後端部に向かうにつれて幅方向中央側に向かうように湾曲するＪ字状棒体としたり、図１０に示すように、前後方向に延在する直線状の棒体からなる形状補正部材７０を幅方向に複数並設し、少なくとも両側部（図示例は全て）の棒体からなる形状補正部材７０を後端部に向かうにつれて幅方向中央側に近くなるように斜めに配置したり、図１１に示すように、前後方向に延在する直線状の棒体からなる形状補正部材７０を幅方向に複数並設し、幅方向両側に位置する単数又は複数の棒体からなる形状補正部材７０の後端を、中央部に位置する単数又は複数の棒体からなる形状補正部材７０よりも前側に位置させ、形状補正部分の側縁を階段状にしたりすることも好ましい形態である。
【００７０】
形状補正部材７０は、おむつに対して取外し又は取り付け不可能なように設けられていいるのではなく、取外し又は取り付け可能に設けられている。これにより、使用者が必要に応じて（例えば排尿後におむつが垂れ下ってきたときに）形状補正の有無を選択でき、特に図２等に示すように、複数の形状補正部材７０を設ける場合に、形状補正部材７０を個別に取り付け又は取外し可能にすると、形状補正作用を適宜調節することができるため好ましい。
【００７１】
形状補正部材７０を個別に取り付け又は取外し可能にする手段として一つの好ましい形態は、図示形態のように、腹側部分Ｆに形状補正部材７０を内蔵するための袋状部分８０を設け、この袋状部分８０に形状保持部材を出し入れするための開口部をおむつ外面に形成した形態である。
【００７２】
袋状部分８０は、袋状とする部分を除き、その周囲における表裏両側の部材を接着又は溶着等により接合することにより形成することができる。図示形態では、図３、５及び１４に示すように、外装シート１２と液不透過性シート１１との接着に際して、袋状とする部分のみ接着剤（図中の点模様部分）を塗布しないことで、外装シート１２と液不透過性シート１１との間に袋状の空間を形成し、外装シート１２における袋状部分８０にスリットを入れて開口部８１を形成している。
【００７３】
開口部８１の開閉の容易性及び形状補正部材７０の出し入れの容易性の観点から、開口部８１は吸収体５６と重なる位置に形成するのが好ましく、特に吸収体５６の端縁またはその近傍に位置しているのが好ましい。
【００７４】
開口部８１は開いたままでも良いが、閉じるための閉鎖手段を設けるのは好ましい。閉鎖手段は特に限定されないが、図示形態では、図５に示すように袋状部分８０の開口部８１の縁部内面に、粘着剤層やメカニカルファスナー等の着脱可能な接合手段８２を設けて、液不透過性シートに対して着脱可能に接合する構成を採用している。
【００７５】
袋状部分８０の深さ８０ｄは形状補正部材７０を収納しうる範囲内で適宜定めることができ、形状補正部材７０の深さ方向長さ７０ｈと同じ又は若干大きい程度にする他、形状補正部材７０の深さ方向（図示例の場合前後方向）の位置を調整できるように、図１５に示すように、形状補正部材７０の長さ７０ｈよりもある程度深く形成し、開口部８１から形状補正部材７０の長さ７０ｈより深い部分を接合部７５において剥離可能に接合しておく、あるいは着脱可能に接合しておくのも一つの好ましい形態である。後者の場合、必要に応じて接合部を剥離することにより袋状部分８０の深さを深くし、形状補正部材７０をより深い位置に配置することができる。
【００７６】
また、図１２に示すように、外装シート１２の袋状部分８０に開口部８１から深さ方向に沿って延在するミシン目８３を形成するとともに、閉鎖手段８２を深さ方向に複数並設することも提案する。この場合、袋状部分８０のミシン目８３を開口部８１側から所望の深さ位置まで切り離すとともに、複数の閉鎖手段８２の中からミシン目８３の切り離し深さに応じた位置の閉鎖手段８２を選択使用することにより、形状補正部分となる袋状部分８０の深さ寸法を変更することができ、使用者が個々のペットの寸法に合わせて形状補正部分の寸法を調節することができる。
【００７７】
（その他）
（ａ）  吸収体５６をフィラメント集合体により形成する場合、フィラメントの延在方向をおむつの前後方向とすることにより、尿がフィラメントの延在方向つまり前後方向に沿って拡散し易くなり、尿吸収による重量増が腹側部分Ｆの局所に集中し難くなり、垂れ下り防止効果に優れるようになるため好ましい。もちろん、他の吸収体５６を用いることもできる。
【００７８】
（ｂ）  図１に示すように、表面シート３０に縦方向に沿う溝３１を幅方向に複数並設すると、尿が前後方向に拡散し易くなり、尿吸収による重量増が腹側部分Ｆの局所に集中し難くなり、垂れ下り防止効果に優れるようになるため好ましい。この溝は設けなくても良い。
【００７９】
（ｃ）  形状補正部材７０を取外し又は取り付け可能とするために、形状補正部材７０に例えば粘着剤層やメカニカルファスナーのフック材（面ファスナーの雄材）等の着脱可能な接合手段を設け、おむつの外面に着脱可能としても良い。
【産業上の利用可能性】
【００８０】
本発明は、ペット用止着式使い捨ておむつに利用可能なものである。
【符号の説明】
【００８１】
１１…液不透過性シート、１２…外装シート、３０…表面シート、４０…中間シート、５０…吸収要素、５６…吸収体、５８…包装シート、６０…側部立体ギャザー、６２…ギャザーシート、１２Ｔ…ターゲットシート、７０…形状補正部材、８０…袋状部分。
【図１】
0005722650.tif 000002
【図２】
0005722650.tif 000003
【図３】
0005722650.tif 000004
【図４】
0005722650.tif 000005
【図５】
0005722650.tif 000006
【図６】
0005722650.tif 000007
【図７】
0005722650.tif 000008
【図８】
0005722650.tif 000009
【図９】
0005722650.tif 000010
【図１０】
0005722650.tif 000011
【図１１】
0005722650.tif 000012
【図１２】
0005722650.tif 000013
【図１３】
0005722650.tif 000014
【図１４】
0005722650.tif 000015
【図１５】
0005722650.tif 000016